(57)【要約】【課題】メール送信者に特別な処理を求めることなく電子メールの添付ファイルのセキュリティを確実に確保すること。【解決手段】メール中継サーバ１０は、送信元アドレスから送信された電子メールを受信する受信部１１と、変換すべきファイルが電子メールに添付されているか否かを判定する判定部１２と、電子メールにファイルが添付されている場合に、そのファイルを読取専用形式に変換することで読取専用ファイルを生成する形式変換部１３と、読取専用ファイルを開く際に必要なパスワードをその読取専用ファイルに対して設定するパスワード設定部１４と、電子メールから添付ファイルを除去し、パスワードが設定された読取専用ファイルをその電子メールに添付するファイル置換部１５と、読取専用ファイルが添付された電子メールを宛先アドレスに送信する送信部１６と、を備える。【選択図】図１
2010186230.tif 000002
【特許請求の範囲】
【請求項１】
送信元アドレスから送信された電子メールを受信する受信手段と、
前記電子メールにファイルが添付されているか否かを判定する判定手段と、
前記電子メールにファイルが添付されていると判定された場合に、該ファイルを読取専用形式に変換することで読取専用ファイルを生成する形式変換手段と、
前記読取専用ファイルを開く際に必要なパスワードを該読取専用ファイルに対して設定するパスワード設定手段と、
前記電子メールに添付されているファイルを除去し、前記パスワードが設定された読取専用ファイルを該電子メールに添付するファイル置換手段と、
前記ファイル置換手段により読取専用ファイルが添付された電子メールを、該電子メールの宛先アドレスに送信する送信手段と、
を備えるメール中継システム。
【請求項２】
前記判定手段が、更に、前記電子メールに添付されているファイルのファイルサイズが所定の閾値以下か否かを判定し、
前記形式変換手段が、前記電子メールにファイルが添付されており且つ該ファイルのファイルサイズが前記所定の閾値以下である場合に、該ファイルを読取専用形式に変換することで読取専用ファイルを生成する、
請求項１に記載のメール中継システム。
【請求項３】
前記送信手段が、前記読取専用ファイルが添付された電子メールを保持したまま、該電子メールの宛先アドレスが記述された確認メールを前記送信元アドレスに送信し、該確認メールに対する前記送信元アドレスからの応答を受信した場合に、保持している電子メールを前記宛先アドレスに送信する、
請求項１又は２に記載のメール中継システム。
【請求項４】
前記送信手段が、前記読取専用ファイルが添付された電子メールに加えて、該読取専用ファイルに対応するパスワードが記述されたパスワードメールを該電子メールの宛先アドレスに送信する、
請求項１〜３のいずれか一項に記載のメール中継システム。
【請求項５】
前記読取専用ファイルがＰＤＦ形式である、請求項１〜４のいずれか一項に記載のメール中継システム。
【請求項６】
メール中継システムにより実行されるメール中継方法であって、
送信元アドレスから送信された電子メールを受信する受信ステップと、
前記電子メールにファイルが添付されているか否かを判定する判定ステップと、
前記電子メールにファイルが添付されていると判定された場合に、該ファイルを読取専用形式に変換することで読取専用ファイルを生成する形式変換ステップと、
前記読取専用ファイルを開く際に必要なパスワードを該読取専用ファイルに対して設定するパスワード設定ステップと、
前記電子メールに添付されているファイルを除去し、前記パスワードが設定された読取専用ファイルを該電子メールに添付するファイル置換ステップと、
前記ファイル置換ステップにおいて読取専用ファイルが添付された電子メールを、該電子メールの宛先アドレスに送信する送信ステップと、
を含むメール中継方法。
【発明の詳細な説明】
【技術分野】
【０００１】
本発明は、添付ファイルを有する電子メールを中継するメール中継システム及びメール中継方法に関する。
【背景技術】
【０００２】
電子メールにファイルを添付して送信する前に、改竄防止のために予め添付ファイルをＰＤＦ（Portable Document Format）などの読取専用形式に変換することがある。また、第三者による閲覧を防止するために、添付ファイルにパスワードを設定することも多い。ファイル形式の変換に関し、下記特許文献１には、ユーザの指示に基づいて多数のファイルをＰＤＦ形式に自動的に変換する文書管理システムが記載されている。
【先行技術文献】
【特許文献】
【０００３】
【特許文献１】特開２００２−７３８３号公報
【発明の概要】
【発明が解決しようとする課題】
【０００４】
しかしながら、上記特許文献１のシステムを用いたとしても、電子メールの送信者が添付ファイルを変換したり、パスワードを設定したりしなければならないことに変わりはない。そのため、送信者が添付ファイルの変換を忘れたり敬遠したりするなどして、添付ファイルの改竄や漏洩の防止が徹底されないおそれがある。
【０００５】
本発明は上記課題を解決するためになされたものであり、メール送信者に特別な処理を求めることなく電子メールの添付ファイルのセキュリティを確実に確保することが可能なメール中継システム及びメール中継方法を提供することを目的とする。
【課題を解決するための手段】
【０００６】
本発明のメール中継システムは、送信元アドレスから送信された電子メールを受信する受信手段と、電子メールにファイルが添付されているか否かを判定する判定手段と、電子メールにファイルが添付されていると判定された場合に、該ファイルを読取専用形式に変換することで読取専用ファイルを生成する形式変換手段と、読取専用ファイルを開く際に必要なパスワードを該読取専用ファイルに対して設定するパスワード設定手段と、電子メールに添付されているファイルを除去し、パスワードが設定された読取専用ファイルを該電子メールに添付するファイル置換手段と、ファイル置換手段により読取専用ファイルが添付された電子メールを、該電子メールの宛先アドレスに送信する送信手段と、を備える。
【０００７】
また、本発明のメール中継方法は、メール中継システムにより実行されるメール中継方法であって、送信元アドレスから送信された電子メールを受信する受信ステップと、電子メールにファイルが添付されているか否かを判定する判定ステップと、電子メールにファイルが添付されていると判定された場合に、該ファイルを読取専用形式に変換することで読取専用ファイルを生成する形式変換ステップと、読取専用ファイルを開く際に必要なパスワードを該読取専用ファイルに対して設定するパスワード設定ステップと、電子メールに添付されているファイルを除去し、パスワードが設定された読取専用ファイルを該電子メールに添付するファイル置換ステップと、ファイル置換ステップにおいて読取専用ファイルが添付された電子メールを、該電子メールの宛先アドレスに送信する送信ステップと、を含む。
【０００８】
このようなメール中継システム及びメール中継方法によれば、添付ファイルが読取専用形式に変換され、更にそのファイルを開くためのパスワードが設定される。このようにして生成された読取専用ファイルは元々の添付ファイルに代えて電子メールに添付され、宛先へと送信される。これにより、メール送信者が添付ファイルに対して特別な処理をしなくても、メール転送過程において添付ファイルの変換及びパスワードの設定が実行される。したがって、メール送信者に特別な処理を求めることなく電子メールの添付ファイルのセキュリティを確実に確保することができる。
【０００９】
本発明のメール中継システムでは、判定手段が、更に、電子メールに添付されているファイルのファイルサイズが所定の閾値以下か否かを判定し、形式変換手段が、電子メールにファイルが添付されており且つ該ファイルのファイルサイズが所定の閾値以下である場合に、該ファイルを読取専用形式に変換することで読取専用ファイルを生成することが好ましい。
【００１０】
この場合、ファイルサイズが一定値以上の添付ファイルに対しては変換処理が行われないので、ファイル形式の変換処理がシステムに掛ける負荷や、これに起因する処理速度の低下などを抑制することができる。
【００１１】
本発明のメール中継システムでは、送信手段が、読取専用ファイルが添付された電子メールを保持したまま、該電子メールの宛先アドレスが記述された確認メールを送信元アドレスに送信し、該確認メールに対する送信元アドレスからの応答を受信した場合に、保持している電子メールを宛先アドレスに送信することが好ましい。
【００１２】
この場合、メール転送前にその宛先を確認させるためのメールが送信元アドレスに送られ、確認メールに対して送信者が応答した場合に初めて電子メールが宛先アドレスに送信されるので、誤送信を防止することができる。
【００１３】
本発明のメール中継システムでは、送信手段が、読取専用ファイルが添付された電子メールに加えて、該読取専用ファイルに対応するパスワードが記述されたパスワードメールを該電子メールの宛先アドレスに送信することが好ましい。
【００１４】
この場合、パスワードメールも宛先アドレスに送信されるので、メール受信者は読取専用ファイルに設定されたパスワードを同じメールシステムを使って簡易に取得できる。
【００１５】
本発明のメール中継システムでは、読取専用ファイルがＰＤＦ形式であることが好ましい。
【００１６】
この場合、添付ファイルは広く普及しているＰＤＦに変換されるので、システムの利便性が向上する。
【発明の効果】
【００１７】
このようなメール中継システム及びメール中継方法によれば、メール転送過程において添付ファイルの読取専用ファイルへの変換とパスワードの設定とが実行されるので、メール送信者に特別な処理を求めることなく電子メールの添付ファイルのセキュリティを確実に確保することができる。
【図面の簡単な説明】
【００１８】
【図１】実施形態に係るメール中継サーバの機能構成を示す図である。
【図２】図１に示すメール中継サーバのハードウェア構成を示す図である。
【図３】図１に示すメール中継サーバの動作を示すフローチャートである。
【図４】図３に示す自動ＰＤＦ変換処理の詳細を示すフローチャートである。
【図５】図３に示す送信処理の詳細を示すフローチャートである。
【発明を実施するための形態】
【００１９】
以下、添付図面を参照しながら本発明の実施形態を詳細に説明する。本実施形態では、本発明に係るメール中継システムをメール中継サーバに適用する。なお、図面の説明において同一又は同等の要素には同一の符号を付し、重複する説明を省略する。
【００２０】
まず、図１及び２を用いて、実施形態に係るメール中継サーバ１０の構成を説明する。図１はメール中継サーバ１０の機能構成を示す図である。図２はメール中継サーバ１０のハードウェア構成を示す図である。
【００２１】
メール中継サーバ１０は、送信端末Ｔから受信端末Ｒへと伝送される電子メールを中継するコンピュータシステムである。なお、送信端末Ｔ及び受信端末Ｒは、携帯電話機や携帯情報端末（ＰＤＡ：Personal Digital Assistant）、パーソナルコンピュータなどの任意の移動端末又は固定端末である。
【００２２】
本実施形態では、メール中継サーバ１０を送信側メールサーバＴＳと受信側メールサーバＲＳとの間に設置するが、メール中継サーバ１０は、送信端末Ｔから受信端末Ｒまでの間の任意の位置に設置してよい。また、メール中継サーバ１０と、送信側メールサーバＴＳ又は受信側メールサーバＲＳとを一つに統合してもよい。
【００２３】
各端末及び各サーバを接続するネットワークの構成は限定されない。例えば、構内通信網（ＬＡＮ）、移動体通信網、インターネットなどを含むネットワークが考えられる。
【００２４】
メール中継サーバ１０は機能的構成要素として、受信部（受信手段）１１、判定部（判定手段）１２、形式変換部（形式変換手段）１３、パスワード設定部（パスワード設定手段）１４、ファイル置換部（ファイル置換手段）１５及び送信部（送信手段）１６を備えている。
【００２５】
メール中継サーバ１０は、図２に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどで構成される通信制御部１０４と、キーボードやマウスなどの入力部１０５と、モニタやプリンタなどの出力部１０６とで構成される。図１に示す各機能は、ＣＰＵ１０１や主記憶部１０２の上に所定のソフトウェアを読み込ませ、ＣＰＵ１０１の制御の下で通信制御部１０４を動作させ、主記憶部１０２や補助記憶部１０３におけるデータの読み出し及び書き込みを行うことで実現される。
【００２６】
図１に戻って、受信部１１は送信元アドレスから送信された電子メールを受信する部分である。そのアドレスを有する送信者が送信端末Ｔから電子メールを送信すると、その電子メールは送信側メールサーバＴＳを経由してメール中継サーバ１０に到達する。受信部１１はその電子メールを受信して判定部１２に出力する。
【００２７】
判定部１２は、受信部１１から入力された電子メールに対して各種判定処理を実行する部分である。まず、判定部１２は電子メールの送信元メールアドレスに基づいて、送信者が自動ＰＤＦ変換サービスの契約者であるか否かを判定する。送信者がサービス契約者でないと判定した場合には、判定部１２は電子メールをそのまま送信部１６に出力する。一方、送信者がサービス契約者であると判定した場合には、判定部１２は電子メールにファイルが添付されているか否かを判定する。
【００２８】
添付ファイルがない場合には、判定部１２は電子メールをそのまま送信部１６に出力する。一方、一又は複数の添付ファイルが存在する場合には、判定部１２は、各添付ファイルについて、ファイル拡張子がＰＤＦ変換可能なものであるか、及びファイルサイズが所定の閾値以下であるか否かを判定する。このために、判定部１２はＰＤＦ変換対象のファイル拡張子のリスト、及びファイルサイズの閾値を予め記憶している。そして、ＰＤＦ変換可能なファイル種別であり且つファイルサイズが所定の閾値以下である添付ファイルが一つ以上存在する場合には、判定部１２は電子メールを形式変換部１３に出力する。一方、そのような添付ファイルが存在しない場合には、電子メールをそのまま送信部１６に出力する。
【００２９】
形式変換部１３は、電子メールにファイルが添付されていると判定された場合に、そのファイルを読取専用形式に変換することで読取専用ファイルを生成する部分である。形式変換部１３は、ＰＤＦ変換可能であり且つファイルサイズが所定の閾値以下の各添付ファイルに対してＰＤＦ変換を実行することで、読取専用ファイルを生成する。ここで、読取専用ファイルとは、内容の表示のみ、あるいは内容の表示及び印刷のみが可能であり、その他の操作（例えば内容の編集やコピーなど）はできないＰＤＦファイルのことである。形式変換部１３は、入力された電子メールと、生成された一又は複数の読取専用ファイルとをパスワード設定部１４に出力する。
【００３０】
パスワード設定部１４は、読取専用ファイルを開く際に必要なパスワードをその読取専用ファイルに対して設定する部分である。一又は複数の読取専用ファイルが入力されると、パスワード設定部１４はランダムなパスワードを生成して各読取専用ファイルに設定する。なお、パスワード設定部１４は各読取専用ファイルに同一のパスワードを設定してもよいし、ファイル毎に異なるパスワードを設定してもよい。パスワード設定部１４は、入力された電子メールと、パスワードが設定された読取専用ファイルと、生成したパスワードとをファイル置換部１５に出力する。
【００３１】
ファイル置換部１５は、電子メールから添付ファイルを除去し、パスワードが設定された読取専用ファイルをその電子メールに添付する部分である。ファイル置換部１５は、入力された電子メールの添付ファイルのうちＰＤＦ変換処理された一又は複数のファイルを削除し、代わりに、入力された一又は複数の読取専用ファイルをその電子メールに添付する。そして、ファイル置換部１５は添付ファイルを置き換えた電子メールと、入力されたパスワードとを送信部１６に出力する。
【００３２】
送信部１６は電子メールを送信する部分である。具体的には、送信部１６は判定部１２から入力された電子メール（自動ＰＤＦ変換処理がされなかった電子メール）、又はファイル置換部１５から入力された電子メール（自動ＰＤＦ変換処理が為されて読取専用ファイルが添付された電子メール）を送信する。
【００３３】
自動ＰＤＦ変換処理がされていない電子メールについては、送信部１６はそのまま宛先アドレスに送信する。受信者宛のメールは受信側メールサーバＲＳを経由して最終的に受信端末Ｒに到達する。これに対して、自動ＰＤＦ変換処理が為された電子メールについては、送信部１６は下記の処理を実行する。
【００３４】
まず、送信部１６は電子メールの宛先が変換確認用アドレスか否かを判定する。変換確認用アドレスとは、メール送信者が添付ファイルのＰＤＦ変換の結果を視認するために用いるアドレスであり、メール中継サーバ１０を示すアドレスの一つとして設定されている。
【００３５】
電子メールの宛先に変換確認用アドレスが指定されている場合には、読取専用ファイルを有する電子メールは送信者アドレスに送信される。具体的には、送信部１６は電子メールの送信元アドレスと宛先アドレスとを入れ替える。また、送信部１６は読取専用ファイルに設定されたパスワードが記述された電子メール（以下では「パスワードメール」という）を生成する。そして、送信部１６はアドレスを入れ替えた電子メールとパスワードメールとを送信者アドレスに送信する。
【００３６】
一方、入力された電子メールのアドレスが変換確認用アドレスでない場合には、送信部１６はメール送信者が送信先確認サービスに加入しているか否かを判定する。送信先確認サービスとは、誤送信を防止するために、入力された電子メールを保持したまま、送信メールの内容を確認メールとしてメール送信者に送信し、それに対する送信者からの応答を受けて初めて電子メールを受信者宛に送信するサービスである。このために、送信部１６は、送信先確認サービスに加入しているユーザのアドレスのリストを予め保持しており、電子メールの送信元アドレスとそのリストとを比較してサービス加入の有無を判定する。
【００３７】
メール送信者が送信先確認サービスに加入している場合には、送信部１６は、メール受信者宛の電子メールを保持すると共に、送信されてきた電子メールの概要（宛先アドレス、件名、送信日時、添付ファイル名など）を記述した確認メールを生成して送信者アドレスに送信する。その後、確認メールに対する送信者からの応答を受信すると、送信部１６はパスワードメールを生成し、保持している電子メールとそのパスワードメールとを宛先アドレスに送信する。また、送信部１６はパスワードメールを送信者アドレスに送信する。
【００３８】
これに対して、メール送信者が送信先確認サービスに加入していない場合には、送信部１６は直ぐにパスワードメールを生成し、入力された電子メールとパスワードメールとを宛先アドレスに送信する。また、送信部１６はパスワードメールを送信者アドレスに送信する。
【００３９】
次に、図３〜５を用いて、図１に示すメール中継サーバ１０の動作を説明するとともに本実施形態に係るメール中継方法について説明する。図３はメール中継サーバ１０の動作を示すフローチャートである。図４は自動ＰＤＦ変換処理の詳細を示すフローチャートである。図５は送信処理の詳細を示すフローチャートである。
【００４０】
まず、受信部が送信端末Ｔから送信側メールサーバＴＳを経由して伝送されてきた電子メールを受信する（ステップＳ１、受信ステップ）。続いて、判定部１２が、送信者が自動ＰＤＦ変換サービスを契約しているか否かを判定する（ステップＳ２）。このとき、送信者がそのサービスの契約者でなければ（ステップＳ２；ＮＯ）、直ぐに送信処理（ステップＳ６）が実行される。一方、送信者が自動ＰＤＦ変換サービスの契約者であれば（ステップＳ２；ＹＥＳ）、判定部１２は次に、電子メールにファイルが添付されているか否かを判定する（ステップＳ３、判定ステップ）。このとき、添付ファイルがなければ（ステップＳ３；ＮＯ）、直ぐに送信処理（ステップＳ６）が実行される。
【００４１】
添付ファイルが存在する場合には（ステップＳ３；ＹＥＳ）、判定部１２は次に、その添付ファイルがＰＤＦ変換可能であるか否かを判定する（ステップＳ４）。この判定は、各添付ファイルの拡張子及びファイルサイズを検査することで実行される。そして、ＰＤＦ変換可能な添付ファイルが存在すれば（ステップＳ４；ＹＥＳ）、自動ＰＤＦ変換処理（ステップＳ５）の後に送信処理（ステップＳ６）が実行され、そのような添付ファイルが存在しなければ（ステップＳ４；ＮＯ）、直ぐに送信処理（ステップＳ６）が実行される。
【００４２】
次に、図４を参照して自動ＰＤＦ変換処理の詳細を説明する。まず、形式変換部１３が、ＰＤＦ変換可能な添付ファイルに対して変換処理を実行することで読取専用ファイルを生成する（ステップＳ５０１、形式変換ステップ）。続いて、パスワード設定部１４が読取専用ファイルに対してパスワードを設定する（ステップＳ５０２、パスワード設定ステップ）。続いて、ファイル置換部１５が電子メールの添付ファイルの一部又は全部を読取専用ファイルに置き換える（ステップＳ５０３、ファイル置換ステップ）。この後、処理は送信処理に移る。
【００４３】
次に、図５を参照して送信処理（送信ステップ）の詳細を説明する。まず、電子メールに読取専用ファイルが添付されていない場合には（ステップＳ６０１；ＮＯ）、送信部１６は電子メールをそのまま宛先アドレスに送信する（ステップＳ６０２）。一方、読取専用ファイルが添付されている場合には（ステップＳ６０１；ＹＥＳ）、送信部１６は次に、電子メールの宛先が変換確認用アドレスか否かを判定する（ステップＳ６０３）。
【００４４】
このとき、変換確認用アドレスであれば（ステップＳ６０３；ＹＥＳ）、送信部１６は電子メール及びパスワードメールを送信元アドレスに送信する（ステップＳ６０４）。一方、変換確認用アドレスでなければ（ステップＳ６０３；ＮＯ）、送信部１６は次に、メール送信者が送信先確認サービスを契約しているか否かを判定する（ステップＳ６０５）。
【００４５】
このとき、送信者がそのサービスの契約者であれば（ステップＳ６０５；ＹＥＳ）、送信部１６は確認メールを送信元アドレスに送信し（ステップＳ６０６）、その後送信者からの応答を受けて、電子メール及びパスワードメールを宛先アドレスに送信する（ステップＳ６０７）。一方、送信者が送信先確認サービスの契約者でなければ（ステップＳ６０５；ＮＯ）、送信部１６は直ぐに電子メール及びパスワードメールを宛先アドレスに送信する（ステップＳ６０８）。メール受信者は、ＰＤＦ化された添付ファイルを受信した場合には、パスワードメールに記載されているパスワードを用いて添付ファイルを開くことができる。
【００４６】
以上説明したように、本実施形態によれば、添付ファイルが読取専用形式に変換され、更にそのファイルを開くためのパスワードが設定される。このようにして生成された読取専用ファイルは元々の添付ファイルに代えて電子メールに添付され、宛先へと送信される。これにより、メール送信者が添付ファイルに対して特別な処理をしなくても、メール転送過程において添付ファイルの変換及びパスワードの設定が実行される。したがって、メール送信者に特別な処理を求めることなく電子メールの添付ファイルのセキュリティ（例えば改竄防止）を確実に確保することができる。また、メール送信者に特別な操作を要求しないので、ユーザの業務効率化も期待できる。更に、個々の送信端末Ｔに添付ファイル変換用のソフトウェアをインストールする必要もない。
【００４７】
また本実施形態では、ファイルサイズが一定値以上の添付ファイルに対しては変換処理が行われないので、ファイル形式の変換処理がシステムに掛ける負荷や、これに起因する処理速度の低下などを抑制することができる。
【００４８】
また本実施形態では、メール転送前にその宛先を確認させるためのメールが送信元アドレスに送られ、確認メールに対して送信者が応答した場合に初めて電子メールが宛先アドレスに送信されるので、誤送信を防止することができる。
【００４９】
また本実施形態では、パスワードメールも宛先アドレスに送信されるので、メール受信者は読取専用ファイルに設定されたパスワードを同じメールシステムを使って簡易に取得できる。
【００５０】
また本実施形態では、添付ファイルは広く普及しているＰＤＦに変換されるので、システムの利便性が向上する。
【００５１】
以上、本発明をその実施形態に基づいて詳細に説明した。しかし、本発明は上記実施形態に限定されるものではない。本発明は、その要旨を逸脱しない範囲で以下のような様々な変形が可能である。
【００５２】
上記実施形態では、送信者の所定のサービスへの加入状況、ファイルの拡張子、及びファイルサイズを検査してＰＤＦ変換の要否を判定したが、これらの要素を検査することなくすべての電子メールに対して上記のような添付ファイル変換処理を実行してもよい。
【００５３】
上記実施形態では、誤送信を防止するために、一定条件下で確認メールを送信元アドレスに送信したが、このような処理を省略してもよい。
【００５４】
上記実施形態ではパスワードメールをメール送信者及び受信者に送信したが、メール中継システムは、パスワードを送信することなく所定の記憶装置に記憶し、そのパスワードにアクセスするためのＵＲＬ（Uniform Resource Locator）をメール送信者及び受信者に送信してもよい。この場合、メール中継システムは、そのＵＲＬへのアクセスを受け付けると対応するパスワードを読み出し、アクセス元（メール送信者又は受信者）に送信する。
【００５５】
上記実施形態では添付ファイルをＰＤＦに変換したが、読取専用ファイルの形式は限定されない。例えば、メール中継システムは添付ファイルをXML Paper Specification（ＸＰＳ）形式のファイルに変換してもよい。
【符号の説明】
【００５６】
１０…メール中継サーバ（メール中継システム）、１１…受信部（受信手段）、１２…判定部（判定手段）、１３…形式変換部（形式変換手段）、１４…パスワード設定部（パスワード設定手段）、１５…ファイル置換部（ファイル置換手段）、１６…送信部（送信手段）。
【図１】
2010186230.tif 000003
【図２】
2010186230.tif 000004
【図３】
2010186230.tif 000005
【図４】
2010186230.tif 000006
【図５】
2010186230.tif 000007